(57)【要約】【課題】投写する画像の確認や設置位置の調整が効率的に行えるプロジェクター、およびプロジェクターの制御方法を提供する。【解決手段】光源装置１１から射出される光を画像情報に基づいて変調して投写するプロジェクター１であって、電池３１１と外部電源との双方を電源として電力を供給する電源部３１と、投写に必要な設定情報を記憶する記憶手段２１と、投写するための画像データを入力する画像信号入力手段１８と、各種情報を表示する表示手段４０と、プロジェクター１の動作を制御する制御手段２０と、を備え、制御手段２０は、外部電源からの電力供給が無いまま電源オンされた場合、電池３１１により駆動させ、光源装置１１には電力供給せず、表示手段４０に設定情報および/または画像データによる画像を表示する。【選択図】図３
2015087575.tif 000002
【特許請求の範囲】
【請求項１】
光源装置から射出される光を画像情報に基づいて変調して投写するプロジェクターであって、
電池と外部電源との双方を電源として電力を供給する電源部と、
投写に必要な設定情報を記憶する記憶手段と、
投写するための画像データを入力する画像信号入力手段と、
各種情報を表示する表示手段と、
前記プロジェクターの動作を制御する制御手段と、を備え、
前記制御手段は、前記外部電源からの電力供給が無いまま電源オンされた場合、前記電池により駆動させ、前記光源装置には電力供給せず、前記表示手段に前記設定情報および/または前記画像データによる画像を表示することを特徴とするプロジェクター。
【請求項２】
請求項１に記載のプロジェクターであって、
各種情報を報知する報知手段を備え、
前記報知手段は、前記電池による電力供給を行う場合、その旨を前記情報として報知することを特徴とするプロジェクター。
【請求項３】
請求項１または請求項２に記載のプロジェクターであって、
投写面までの投写距離を計測する計測手段を備え、
前記記憶手段は、前記設定情報として、所定の画像サイズで投写する場合の前記投写距離の範囲を規定する投写距離情報を含み、
前記制御手段は、前記外部電源からの電力供給が無いまま電源オンされた場合、前記電池により駆動させ、前記計測手段により計測された距離データと、前記投写距離情報の前記投写距離の範囲とを比較し、前記表示手段および/または前記報知手段に比較結果を表示および/または報知することを特徴とするプロジェクター。
【請求項４】
請求項１〜請求項３のいずれか一項に記載のプロジェクターであって、
入力操作により前記制御手段に動作を指示する入力操作手段を備え、
前記制御手段は、前記電池による駆動中に、前記外部電源からの電力供給を検出した場合、前記画像を投写するか否かの確認用画像を前記表示手段に表示し、前記入力操作手段による前記画像の投写を行う旨の前記入力操作を検出した場合、前記光源装置を点灯させて前記画像を投写することを特徴とするプロジェクター。
【請求項５】
光源装置から射出される光を画像情報に基づいて変調して投写するプロジェクターの制御方法であって、
電池と外部電源との双方を電源として電力を供給する電源部と、投写に必要な設定情報を記憶する記憶手段と、投写するための画像データを入力する画像信号入力手段と、各種情報を表示する表示手段と、前記プロジェクターの動作を制御する制御手段と、を備え、
電源オンされた場合、前記外部電源からの電力供給を検出する検出ステップと、
前記検出ステップにより前記外部電源からの電力供給が検出されない場合、前記電池からの電力供給を行い、前記光源装置には電力供給せず、前記表示手段に、前記設定情報および/または前記画像データによる画像を表示させる表示ステップと、を備えることを特徴とするプロジェクターの制御方法。
【請求項６】
請求項５に記載のプロジェクターの制御方法であって、
各種情報を報知する報知手段を備え、
前記電池からの電力供給を行う場合、その旨を前記情報として前記報知手段で報知する報知ステップを備えていることを特徴とするプロジェクターの制御方法。
【請求項７】
請求項５または請求項６に記載のプロジェクターの制御方法であって、
前記記憶手段は、前記設定情報として、所定の画像サイズで投写する場合の投写距離の範囲を設定する投写距離情報を含み、
前記電池からの電力供給を行う場合、
投写面までの投写距離を計測する計測ステップと、
前記計測ステップによる距離データと、前記投写距離情報の前記投写距離の範囲とを比較する比較ステップと、
前記比較ステップでの比較結果を前記表示手段で表示、および/または前記報知手段で報知する比較表示ステップと、を備えることを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、光源装置から射出された光を画像情報に応じて変調して投写するプロジェクターが知られている。このようなプロジェクターは、使用する場所に持ち運んで使用することができる。そして、プロジェクターを使用する際には、外部電源（商用電源）から電源ケーブルを介して電力供給することで投写させる。その後、投写面となるスクリーン等のサイズに合わせてプロジェクターの設置位置を調整すると共に、投写する画像を確認する。
【０００３】
特許文献１では、投写する画像を、閉状態のレンズカバーに表示させるプロジェクターが開示されており、外部に投写することなく画像を確認することができる。
【０００４】
特許文献２では、時計用に電池をバックアップ電源として保持するプロジェクターが開示されている。
【先行技術文献】
【特許文献】
【０００５】
【特許文献１】特開２０１１−２２２３５号公報
【特許文献２】特開２００６−２４３０９９号公報
【発明の概要】
【発明が解決しようとする課題】
【０００６】
しかしながら、特許文献１のプロジェクターを含めたプロジェクターでは、通常、投写する画像を確認するためには、上述したように、最初に、光源装置等を駆動させるために、商用電源から電源ケーブルを介して電力供給することが必要となる。また、投写した画像を視聴者に見やすくさせるために、スクリーンのサイズに合わせてプロジェクターの設置位置を調整することが必要となる。いずれにしても、投写する画像の確認や設置位置の調整を行うことは、面倒であり手間（時間や労力）が掛かるという課題があった。また、特許文献２のプロジェクターでは、報知部としての液晶表示装置を備えているが、投写する画像は表示できないという課題があった。
従って、投写する画像の確認や設置位置の調整が効率的に行えるプロジェクター、およびプロジェクターの制御方法が要望されていた。
【課題を解決するための手段】
【０００７】
本発明は、上述した課題の少なくとも一部を解決するためになされたものであり、以下の形態または適用例として実現することが可能である。
【０００８】
［適用例１］本適用例に係るプロジェクターは、光源装置から射出される光を画像情報に基づいて変調して投写するプロジェクターであって、電池と外部電源との双方を電源として電力を供給する電源部と、投写に必要な設定情報を記憶する記憶手段と、投写するための画像データを入力する画像信号入力手段と、各種情報を表示する表示手段と、プロジェクターの動作を制御する制御手段と、を備え、制御手段は、外部電源からの電力供給が無いまま電源オンされた場合、電池により駆動させ、光源装置には電力供給せず、表示手段に設定情報および/または画像データによる画像を表示することを特徴とする。
【０００９】
このようなプロジェクターによれば、制御手段は、外部電源からの電力供給が無いまま電源オンされた場合、電池により駆動させ、光源装置には電力供給せず、表示手段に設定情報および/または画像データによる画像を表示する。これにより、外部電源から電源ケーブル等を介して電力供給しなくても、プロジェクターの本体に設置される電池による電力供給により、表示手段に設定情報および/または画像データによる画像を表示するため、設定情報や投写する画像を確認することができる。従って、スクリーンに画像を投写する前（外部電源への接続設定前の準備中）に、設定情報や投写する画像の確認を効率的に行わせることができる。
【００１０】
［適用例２］上記適用例に係るプロジェクターにおいて、各種情報を報知する報知手段を備え、報知手段は、電池による電力供給を行う場合、その旨を情報として報知することが好ましい。
【００１１】
このようなプロジェクターによれば、電池による電力供給であることを報知手段で報知することにより、ユーザーに、現在の電源（電力供給源）が、電池であることを知らせることができる。
【００１２】
［適用例３］上記適用例に係るプロジェクターにおいて、投写面までの投写距離を計測する計測手段を備え、記憶手段は、設定情報として、所定の画像サイズで投写する場合の投写距離の範囲を規定する投写距離情報を含み、制御手段は、外部電源からの電力供給が無いまま電源オンされた場合、電池により駆動させ、計測手段により計測された距離データと、投写距離情報の投写距離の範囲とを比較し、表示手段および/または報知手段に比較結果を表示および/または報知することが好ましい。
【００１３】
このようなプロジェクターによれば、制御手段は、外部電源からの電力供給が無いまま電源オンされた場合、電池により駆動させ、計測手段により計測された距離データと、投写距離情報の投写距離の範囲とを比較し、表示手段に比較結果を表示する。または報知手段に報知する。これにより、ユーザーは比較結果を確認してプロジェクターの設置位置を調整することができる。従って、スクリーンに画像を投写する前（外部電源への接続設定前の準備中）に、プロジェクターの設置位置の調整を効率的に行わせることができる。
【００１４】
［適用例４］上記適用例に係るプロジェクターにおいて、入力操作により制御手段に動作を指示する入力操作手段を備え、制御手段は、電池による駆動中に、外部電源からの電力供給を検出した場合、画像を投写するか否かの確認用画像を表示手段に表示し、入力操作手段による画像の投写を行う旨の入力操作を検出した場合、光源装置を点灯させて画像を投写することが好ましい。
【００１５】
このようなプロジェクターによれば、電池による駆動中に、外部電源からの電力供給を検出した場合、電池による電力供給を、外部電源による電力供給に切り替え、画像を投写させることが容易に行える。
【００１６】
［適用例５］本適用例に係るプロジェクターの制御方法は、光源装置から射出される光を画像情報に基づいて変調して投写するプロジェクターの制御方法であって、電池と外部電源との双方を電源として電力を供給する電源部と、投写に必要な設定情報を記憶する記憶手段と、投写するための画像データを入力する画像信号入力手段と、各種情報を表示する表示手段と、プロジェクターの動作を制御する制御手段と、を備え、電源オンされた場合、外部電源からの電力供給を検出する検出ステップと、前記検出ステップにより前記外部電源からの電力供給が検出されない場合、前記電池からの電力供給を行い、光源装置には電力供給せず、前記表示手段に、前記設定情報および/または前記画像データによる画像を表示させる表示ステップと、を備えることを特徴とする。
【００１７】
このようなプロジェクターの制御方法によれば、電源オンされた場合、検出ステップで、外部電源からの電力供給を検出し、外部電源からの電力供給が検出されない場合には、電池からの電力供給を行い、光源装置には電力供給せず、表示ステップで、設定情報および/または画像データによる画像を表示手段に表示させる。これにより、スクリーンに画像を投写する前に、設定情報や投写する画像の確認を行わせることができる。
【００１８】
［適用例６］上記適用例に係るプロジェクターの制御方法において、各種情報を報知する報知手段を備え、前記電池からの電力供給を行う場合、その旨を情報として前記報知手段で報知する報知ステップを備えていることが好ましい。
【００１９】
このようなプロジェクターの制御方法によれば、報知ステップで、電池からの電力供給であることを報知することにより、ユーザーに、現在の電源が、電池であることを知らせることができる。
【００２０】
［適用例７］上記適用例に係るプロジェクターの制御方法において、前記記憶手段は、前記設定情報として、所定の画像サイズで投写する場合の投写距離の範囲を設定する投写距離情報を含み、前記電池からの電力供給を行う場合、投写面までの投写距離を計測する計測ステップと、前記計測ステップによる距離データと、前記投写距離情報の投写距離の範囲とを比較する比較ステップと、前記比較ステップでの比較結果を表示手段で表示、および/または報知手段で報知する比較表示ステップと、を備えることが好ましい。
【００２１】
このようなプロジェクターの制御方法によれば、電池からの電力供給を行う場合、計測ステップで、投写面までの投写距離を計測し、比較ステップで、計測ステップでの距離データと、投写距離情報の投写距離の範囲とを比較し、比較表示ステップで、比較結果を表示手段で表示、および/または報知手段で報知する。これにより、スクリーンに画像を投写する前に、プロジェクターの設置位置の調整を効率的に行わせることができる。
【図面の簡単な説明】
【００２２】
【図１】実施形態に係るプロジェクターの使用状態を示す図であり、（ａ）はプロジェクターを前方から見た斜視図、（ｂ）は外部電源による電力でプロジェクターを使用する状態を示す図、（ｃ）は電池による駆動電力でプロジェクターを使用する状態を示す図。
【図２】プロジェクターの動作状態の遷移を示す図であり、（ａ）は電源オフ状態を示す図、（ｂ）は電池動作状態を示す図、（ｃ）はＡＣ動作状態を示す図。
【図３】プロジェクターの回路構成を示すブロック図。
【図４】プロジェクターの動作を示すフローチャート。
【発明を実施するための形態】
【００２３】
以下、実施形態を図面に基づいて説明する。
〔実施形態〕
【００２４】
図１は、本実施形態のプロジェクター１の使用状態を示す図であり、図１（ａ）は、プロジェクター１を前方から見た斜視図であり、図１（ｂ）は、外部電源による電力でプロジェクター１を使用する状態を示す図であり、図１（ｃ）は、電池３１１による駆動電力でプロジェクター１を使用する状態を示す図である。
【００２５】
図１（ａ）に示すように、本実施形態のプロジェクター１は、略直方体形状の外装筐体１００で覆われている。外装筐体１００の前面１００ｂには、開口部１０１が形成され、開口部１０１の内側には、前方に向かって画像（画像光）を投写する投写レンズ１３が露出して設置されている。また、前面１００ｂの端部には、窓１０２が形成され、窓１０２の内側には、外装筐体１００内部に設置される計測手段１５を構成する距離センサー（図示省略）が設置されている。外装筐体１００の上面１００ａには、本実施形態では、液晶表示装置で構成され、各種情報を表示する表示手段４０と、ユーザーにより入力操作が行われる各種の入力キーで構成される入力操作手段２３と、ＬＥＤ（Light emitting diode）等で構成され、各種の情報を報知する報知手段５０とが設置されている。
【００２６】
図１（ｂ），（ｃ）に示すように、本実施形態のプロジェクター１は、外部電源と、内部電源となる電池３１１（図３参照）と、で動作する仕様となっている。図１（ｂ）に示すように、プロジェクター１は、電源ケーブル１１０を介して、コンセント１５０に接続することで、外部電源となる商用電源のＡＣ（交流）電源と接続される。この接続により、プロジェクター１はＡＣ電源から電力供給され、画像（画像光）をスクリーンＳＣに投写させることができる。なお、ＡＣ電源によりプロジェクター１が動作する状態を、以降では、ＡＣ動作状態（図２に示すＡＣ動作状態Ｓ３）という。
【００２７】
また、プロジェクター１は、図１（ｃ）に示すように、ＡＣ電源に接続されていない（ＡＣ電源からの電力供給が無い）場合には、プロジェクター１の内部に設置される電池３１１により動作することができる。なお、電池３１１によりプロジェクター１が動作する状態を、以降では、電池動作状態（図２に示す電池動作状態Ｓ２）という。
【００２８】
なお、電池３１１を電源として使用する場合（電池動作状態Ｓ２）では、プロジェクター１は、光源装置１１（光源制御手段２５：図３参照）への電池３１１からの電力供給は行わず、画像の投写は行わない。そして、プロジェクター１は、上面１００ａに設置される表示手段４０に、投写に必要な設定情報や、投写する画像を表示させる。
【００２９】
また、電池動作状態Ｓ２では、プロジェクター１は、電池動作状態Ｓ２であることを情報として表示手段４０および報知手段５０に表示および報知する。また、電池動作状態Ｓ２では、プロジェクター１は、投写面としてのスクリーンＳＣまでの距離Ｄ（投写距離）を計測し、計測データと投写距離情報２１ａ（図３）の投写距離の範囲とを比較した結果（比較結果）を表示手段４０および報知手段５０に表示および報知する。
【００３０】
なお、図１（ｃ）には、表示手段４０に表示される表示画像の一例として、表示画像Ｇ１を図示している。具体的に、表示画像Ｇ１として、スクリーンＳＣに投写する画像が表示され、また、電池動作状態Ｓ２であることを示す「電池動作中」というメッセージ（文字列）が表示されている。
【００３１】
また、表示画像Ｇ１として、本実施形態では、上方向と下方向とに鋭角となる２つの三角形状が相対して表示されている。この三角形状部分は、スクリーンＳＣとの距離Ｄを計測し、投写距離情報２１ａと比較した結果が表示される部分となる。
【００３２】
計測結果（比較結果）として、表示手段４０において、プロジェクター１をスクリーンＳＣに近づける（前方向に移動させる）ことが必要な場合には、表示画像Ｇ１に示すように、上方向に鋭角な三角形状部分を点滅表示させる（下方向に鋭角な三角形状部分は点灯したままの状態となる）。
【００３３】
逆に、プロジェクター１をスクリーンＳＣから遠ざける（後方向に移動させる）ことが必要な場合には、下方向に鋭角な三角形状部分を点滅表示させる（上方向に鋭角な三角形状部分は点灯したままの状態となる）。また、プロジェクター１とスクリーンＳＣとの距離が適正な場合（距離Ｄが投写距離情報２１ａに規定される投写距離範囲内である場合）には、両方の三角形状部分が点灯表示する。
【００３４】
また、図１（ｃ）には、報知手段５０を拡大図として示している。報知手段５０は、ＬＥＤにより構成され、本実施形態では、丸形状の部分と、上方向と下方向とに鋭角となる２つの三角形状が相対して設置される部分と、で構成されている。そして、報知手段５０は、電池動作状態Ｓ２である場合に丸形状の部分を点灯表示する。
【００３５】
また、報知手段５０は、距離Ｄ（投写距離）と投写距離情報２１ａとの比較結果により、プロジェクター１をスクリーンＳＣに近づける（前方向に移動させる）ことが必要な場合に、上方向に鋭角な三角形状部分を点滅表示する。また、プロジェクター１をスクリーンＳＣから遠ざける（後方向に移動させる）ことが必要な場合に、下方向に鋭角な三角形状部分を点滅表示する。また、プロジェクター１とスクリーンＳＣとの距離が適正な場合には、両方の三角形状部分を点灯表示する。
【００３６】
図２は、プロジェクター１の動作状態の遷移を示す図であり、図２（ａ）は電源オフ状態Ｓ１を示す図であり、図２（ｂ）は電池動作状態Ｓ２を示す図であり、図２（ｃ）はＡＣ動作状態Ｓ３を示す図である。
図２に示すように、プロジェクター１は、電源オフ状態Ｓ１と、電池動作状態Ｓ２と、ＡＣ動作状態Ｓ３と、の３つの状態を有している。
【００３７】
電源オフ状態Ｓ１から、ＡＣ電源への接続無しで電源オン操作された場合には、電池動作状態Ｓ２に遷移する。また、電源オフ状態Ｓ１から、ＡＣ電源へ接続して電源オン操作された場合には、ＡＣ動作状態Ｓ３に遷移する。なお、電池動作状態Ｓ２とＡＣ動作状態Ｓ３とにおいて、電源キーによる電源オフ操作により電源オフ状態Ｓ１へ遷移する。また、電池動作状態Ｓ２において、ＡＣ電源へ接続されたことを検出した場合、ＡＣ動作状態Ｓ３に遷移するか否かのＡＣ動作確認を行い、確認された場合、ＡＣ動作状態Ｓ３に遷移する。
【００３８】
なお、ＡＣ動作確認は、表示手段４０に表示画像Ｇ２として表示される。詳細には、表示画像Ｇ２として、重畳表示されるＡＣ動作確認用のメッセージ画像に対して、ＡＣ動作状態Ｓ３に遷移させる（画像投写を開始させる）場合には、決定キーの操作が行われることで遷移する。なお、ＡＣ動作確認用のメッセージ画像として、本実施形態では、表示画像Ｇ２に示すように、「ＡＣ電源に接続されました。ＥＮＴキーで画像投写を開始します。」という文字列が表示される。
【００３９】
図３は、プロジェクター１の回路構成を示すブロック図である。
図３に示すように、プロジェクター１は、画像入力端子６、画像投写手段１０、計測手段１５、ＯＳＤ処理手段１６、画像信号処理手段１７、画像信号入力手段１８、制御手段２０、記憶手段２１、入力操作手段２３、光源制御手段２５、電源端子３０、電源部３１、表示手段４０、報知手段５０等で構成されている。また、これらの回路ブロックはプロジェクター１の外装筐体１００の内部または外面に配置されている。
【００４０】
画像投写手段１０は、光源装置１１、３つの液晶ライトバルブ１２Ｒ，１２Ｇ，１２Ｂ、投写レンズ１３、液晶駆動手段１４等を含んでいる。画像投写手段１０は、光源装置１１から射出された光を、液晶ライトバルブ１２Ｒ，１２Ｇ，１２Ｂで変調し、変調された画像（画像光）を投写レンズ１３から投写することによって、スクリーンＳＣ等の投写面に投写画像として表示する。
【００４１】
光源装置１１は、超高圧水銀ランプやメタルハライドランプ等の放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、インテグレーター光学系（図示省略）によって輝度分布が略均一な光に変換され、色分離光学系（図示省略）によって光の３原色である赤色（Ｒ）、緑色（Ｇ）、青色（Ｂ）の各色光成分に分離された後、それぞれ対応する液晶ライトバルブ１２Ｒ，１２Ｇ，１２Ｂに入射する。
【００４２】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示省略）が形成されており、液晶に対して画素毎に駆動電圧を印加することが可能となっている。
【００４３】
液晶駆動手段１４が入力される画像データに応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂを透過することによって変調され、画像情報に応じた画像光が色光毎に形成される。形成された各色の画像光は、色合成光学系（図示省略）によって画素毎に合成されてカラーの画像光となった後、投写レンズ１３によってスクリーンＳＣ等に拡大投写される。
【００４４】
本実施形態では、光源装置１１として、放電型の光源を用いている。しかし、光源装置として固体光源を用いてもよい。固体光源としては、レーザー光源、ＬＥＤ、有機ＥＬ（Electro Luminescence）素子、シリコン発光素子等の各種固体発光素子等を用いてもよい。
【００４５】
本実施形態では、画像投写手段１０は、３つの液晶ライトバルブ１２Ｒ，１２Ｇ，１２Ｂを光変調装置として用いた透過型液晶方式の投写光学系を例示したが、反射型液晶表示方式やマイクロミラーデバイス方式（ライトスイッチ表示方式）など、他の表示方式の光変調装置を用いた投写光学系を採用しても良い。
【００４６】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示省略）に従って動作することにより、プロジェクター１の動作を統括制御する。制御手段２０は、記憶手段２１と共に、いわゆるコンピューターとして機能する。
【００４７】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定情報（設定データ）等が記憶されている。
【００４８】
また、本実施形態では、記憶手段２１は、投写距離情報２１ａを記憶している。投写距離情報２１ａは、所定の画像サイズで投写する場合の投写距離の範囲を規定している。また、記憶手段２１には、計測手段１５により計測されたプロジェクター１とスクリーンＳＣとの距離データと、投写距離情報２１ａに規定された投写距離の範囲とを比較する制御プログラムが記憶されている。
【００４９】
入力操作手段２３は、ユーザーがプロジェクター１に対して各種指示を行うための操作パネル２３１（図１参照）を備えている。操作パネル２３１は、上述したように、プロジェクター１の外装筐体１００の上面１００ａに設けられ、複数の操作キーで構成されている。
【００５０】
入力操作手段２３（操作パネル２３１）が備える操作キーには、電源のオン・オフを交互に切り替えるための電源キー、画像信号入力手段１８に入力される複数の画像入力端子６を切り替えるための入力切替キー、各種設定を行うための設定メニューを重畳表示させるメニューキー、メニューからユーザーが設定項目を選択するカーソルキー、決定キー、エスケープキー等がある。
【００５１】
ユーザーが入力操作手段２３の各種操作キーを操作すると、入力操作手段２３は、ユーザーの操作内容に応じた操作信号を制御手段２０に出力する。なお、入力操作手段２３は、遠隔操作が可能なリモートコントローラー（図示省略）からの信号を受信する受信手段（図示省略）を有した構成としてもよい。この場合、リモートコントローラーは、ユーザーの操作内容に応じた赤外線等の操作信号を発信し、受信手段は、これを受信して制御情報として制御手段２０に伝達する。
【００５２】
画像信号入力手段１８は、ビデオ再生装置やＰＣ（パーソナルコンピューター）等の外部の画像出力装置から、ケーブル及びケーブルを接続する複数の画像入力端子６を介して画像情報が入力される。入力された画像情報は、制御手段２０の指示に基づき、画像信号処理手段１７に出力される。なお、画像信号入力手段１８は、無線通信や光通信などの受信手段（図示省略）を備え、外部機器から無線によって画像信号を入力する構成としてもよい。
【００５３】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、赤色（Ｒ）、緑色（Ｇ）、青色（Ｂ）の色光別になっており、各液晶ライトバルブ１２Ｒ，１２Ｇ，１２Ｂの全ての画素に対応する複数の画素値によって構成されている。画素値とは、対応する画素の光透過率を定めるものであり、この画素値によって、各画素を透過して射出する光の強弱（階調）が規定される。
【００５４】
ＯＳＤ処理手段１６は、制御手段２０の指示に基づいて、投写画像上に、メニュー画像やメッセージ画像等のＯＳＤ（On-Screen Display）画像を重畳して表示するための処理を行う。ＯＳＤ処理手段１６は、ＯＳＤメモリー（図示省略）を備えており、ＯＳＤ画像を形成するための図形やフォント等を表すＯＳＤ画像情報を記憶している。
【００５５】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００５６】
液晶駆動手段１４が、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像光を形成する。そして、この画像光がクロスダイクロイックプリズム（図示省略）により合成され、投写レンズ１３から投写される。
【００５７】
光源制御手段２５は、制御手段２０の指示に基づいて、光源装置１１への駆動電力の供給と停止を制御し、光源装置１１の点灯と消灯を切り替える。
【００５８】
電源部３１は、外部電源としての商用電源（ＡＣ（交流）電源）、又は電池３１１を電源として、プロジェクター１の各部に電力を供給する。ＡＣ電源を電源として用いる場合、電源部３１には、電源端子３０を介してＡＣ１００Ｖ等の電力が供給される。そして、電源部３１は、入力した電力（交流電力）を所定の直流電力に変換して、プロジェクター１の各部に供給する。
【００５９】
電池３１１は、本実施形態では、充電可能な二次電池を用いており、外装筐体１００内部に設置される。なお、電池３１１を電源として用いる場合、商用電源と同様にプロジェクター１の各部に電力を供給するが、光源装置１１への電力供給は行わない。なお、電池３１１は、燃料電池等、他の態様の電池を採用してもよい。
【００６０】
電源部３１には、電源端子３０への電源ケーブル１１０の接続の有無を検出する電源検出部（図示省略）が備えられており、電源検出部が電源ケーブル１１０の接続の有無の検出結果を制御手段２０に出力する。なお、電源部３１は、制御手段２０の指示により、電源を切り替えて（電池３１１をＡＣ電源に切り替えて）電力の供給を行う。また、電池３１１は充電可能に構成されており、ＡＣ電源に切り替えてプロジェクター１が動作する際に充電される。
【００６１】
計測手段１５は、プロジェクター１と投写面としてのスクリーンＳＣとの距離（投写距離）を計測する。計測手段１５は、本実施形態では、赤外線を用いた距離センサーで構成されている。なお、計測手段１５により計測された距離データは、制御手段２０に出力される。なお、計測手段１５は、赤外線以外に、レーザー光や超音波等を用いた距離センサーで構成してもよい。
【００６２】
表示手段４０は、液晶表示装置を用いて構成されている。表示手段４０は、制御手段２０の指示に基づき、本実施形態では、投写に必要な設定情報や、投写する画像等を表示する。
【００６３】
報知手段５０は、ＬＥＤを用いて構成されている。報知手段５０は、制御手段２０の指示に基づき、本実施形態では、電源として電池３１１を用いている状態（電池動作状態Ｓ２）の報知や、プロジェクター１とスクリーンＳＣとの距離の計測結果の報知を行う。また、報知手段５０は、プロジェクター１の各種動作状態に対応して所定の表示を行うＬＥＤ（図示省略）およびブザー（図示省略）等も備えている。
【００６４】
図４は、プロジェクター１の動作を示すフローチャートである。
図４に示すように、プロジェクター１が電源オフ状態Ｓ１において、入力操作手段２３の電源キー操作により電源オンすると（ステップＳ１００）、ステップＳ１０１に移行する。
【００６５】
ステップＳ１０１において制御手段２０は、外部電源（ＡＣ電源）による電力（ＡＣ電力）の入力があるか否か（ＡＣ電源と接続されたか否か）を判断する。ＡＣ電力の入力がない場合（ステップＳ１０１：Ｎ）には、ステップＳ１０２に移行する。ＡＣ電力の入力がある場合（ステップＳ１０１：Ｙ）には、ステップＳ１１０に移行する。そして、ステップＳ１０１において、ＡＣ電力の入力がない場合には、制御手段２０は、電池３１１を電源として駆動を開始する。また、プロジェクター１は、電池動作状態Ｓ２に遷移する。
なお、ステップＳ１０１が、外部電源からの電力供給を検出する検出ステップに相当する。
【００６６】
ステップＳ１０２において制御手段２０は、報知手段５０により、電池動作状態Ｓ２であることを報知させ、ステップＳ１０３に移行する。なお、報知のさせ方は、図１（ｃ）の報知手段５０での報知の説明と同一となるため説明は省略する。
なお、ステップＳ１０２が、報知ステップに相当する。
【００６７】
ステップＳ１０３において制御手段２０は、画像信号入力手段１８から画像信号処理手段１７に入力される画像を、ＯＳＤ処理手段１６を介して表示手段４０に表示させ、ステップＳ１０４に移行する。なお、表示手段４０に表示される画像は、投写される画像と同一となる。また、プロジェクター１は、画像出力装置と接続されており、画像出力装置から入力される画像（例えば、表示画像Ｇ１）が表示される。
【００６８】
併せて、制御手段２０は、ＯＳＤ処理手段１６に指示をして、電池動作状態Ｓ２であることを示すメッセージ画像を、表示手段４０に表示する画像に重畳させて表示させる。ＯＳＤ処理手段１６は、制御手段２０の指示に基づき、電池動作状態Ｓ２であることを示すメッセージ画像（図１（ｃ）の表示画像Ｇ１に示す「電池動作中」という文字列）を、ＯＳＤメモリーから読み出して、画像信号処理手段１７から入力される画像に重畳させて、表示手段４０に表示する。
【００６９】
ステップＳ１０３により、ユーザーは、スクリーンＳＣに投写される画像が表示手段４０に表示されることにより、スクリーンＳＣに画像を投写する前に、投写画像を確認することができる。
なお、ステップＳ１０３が、表示手段４０に、設定情報および/または画像データによる画像を表示させる表示ステップに相当する。
【００７０】
ステップＳ１０４において制御手段２０は、計測手段１５に指示をして、投写面としてのスクリーンＳＣまでの距離Ｄを計測させ、ステップＳ１０５に移行する。なお、計測手段１５は、制御手段２０の指示に基づき、スクリーンＳＣまでの距離Ｄを計測し、距離データとして制御手段２０に出力する。
なお、ステップＳ１０４が、投写面（スクリーンＳＣ）までの投写距離（距離Ｄ）を計測する計測ステップに相当する。
【００７１】
ステップＳ１０５において制御手段２０は、計測手段１５により計測された距離データと、投写距離情報２１ａに規定される投写距離範囲とを比較し、表示手段４０に計測結果（比較結果）を表示する。具体的には、制御手段２０は、計測した距離Ｄが投写距離範囲に入っているか否かを演算し、規定された投写距離（投写距離範囲）に対して距離Ｄが大きいか小さいかを比較結果として表示する。
なお、ステップＳ１０５が、距離Ｄと、投写距離情報２１ａの投写距離の範囲とを比較する比較ステップに相当する。
【００７２】
比較結果として、スクリーンＳＣに対してプロジェクター１の設置位置が離れていた場合（規定された投写距離に対して距離Ｄが大きい場合）には、プロジェクター１の設置位置をスクリーンＳＣに近づけるための表示を行う。また、スクリーンＳＣに対してプロジェクター１の設置位置が近づいていた場合（規定された投写距離に対して距離Ｄが小さい場合）には、プロジェクター１の設置位置をスクリーンＳＣから遠ざけるための表示を行う。これは、図１（ｃ）の表示画像Ｇ１の説明の中で説明した内容と同一となるため説明は省略する。なお、この比較結果の表示も、ＯＳＤ処理手段１６により、比較結果の表示用画像を重畳させて表示している。
【００７３】
また、Ｓ１０５において制御手段２０は、表示手段４０に比較結果を表示することに併せて、報知手段５０にも比較結果を報知する。なお、報知のさせ方は、図１（ｃ）の報知手段５０での報知の説明と同一となるため説明は省略する。
なお、ステップＳ１０５が、比較結果を表示手段４０で表示、および/または報知手段５０で報知する比較表示ステップに相当する。
【００７４】
ステップＳ１０５により、ユーザーは、表示手段４０や報知手段５０に表示および報知する比較結果により、スクリーンＳＣに画像を投写する前に、スクリーンＳＣのサイズに合わせて、プロジェクター１の設置位置を適正な位置とすることができる。
【００７５】
ステップＳ１０６において制御手段２０は、ＡＣ電源による電力（ＡＣ電力）の入力を検出したか否かを判断する。ＡＣ電力の入力を検出しない場合（ステップＳ１０６：Ｎ）には、ステップＳ１０４に移行する。ＡＣ電力の入力を検出した場合（ステップＳ１０６：Ｙ）には、ステップＳ１０７に移行する。
【００７６】
ステップＳ１０７において制御手段２０は、ＯＳＤ処理手段１６に指示をして、ＡＣ電源に接続された（ＡＣ電力の入力を検出した）ことを示す確認用画像としてのメッセージ画像を、表示手段４０に表示する画像に重畳させて表示させる。ＯＳＤ処理手段１６は、制御手段２０の指示に基づき、ＡＣ電源に接続されたことを示すメッセージ画像を、ＯＳＤメモリーから読み出して、画像信号処理手段１７から入力される画像に重畳させて、表示手段４０に表示する。なお、確認用画像となるメッセージ画像として、本実施形態では、図２の表示画像Ｇ２に示すように、例えば、「ＡＣ電源に接続されました。ＥＮＴキーで画像投写を開始します。」という文字列が表示される。
【００７７】
なお、ステップＳ１０７において、表示手段４０に表示された確認用画像を確認したユーザーにより、画像の投写を行う旨の入力操作となる決定キーが操作されると、ステップＳ１１０に移行する。
【００７８】
ステップＳ１１０において制御手段２０は、電源を電池３１１から外部電源としてのＡＣ電源に切り替える。そして、制御手段２０は、ＡＣ電力により、光源制御手段２５に指示をして、光源装置１１に所定の電力を供給させて光源装置１１を点灯させ、ステップＳ１１１に移行する。なお、ステップＳ１１０において、プロジェクター１は、ＡＣ動作状態Ｓ３に遷移する。
【００７９】
ステップＳ１１１において制御手段２０は、画像信号処理手段１７から出力された画像データを、ＯＳＤ処理手段１６を介して液晶駆動手段１４に入力し、液晶ライトバルブ１２Ｒ，１２Ｇ，１２Ｂを駆動することで、スクリーンＳＣへの画像の投写を開始する。
以上により、本動作フローを終了する。
【００８０】
上述した実施形態によれば、以下の効果が得られる。
本実施形態のプロジェクター１において、制御手段２０は、外部電源（ＡＣ電源）からの電力供給が無いまま電源オンされた場合、電池３１１を駆動させ、光源装置１１には電力供給せず、表示手段４０に画像データによる画像を表示する。これにより、外部電源から電源ケーブル等を介して電力供給しなくても、プロジェクター１の本体に設置される電池３１１による電力供給により、表示手段４０に画像データによる画像を表示するため、投写する画像を確認することができる。従って、スクリーンＳＣに画像を投写する前（ＡＣ電源への接続設定前の準備中）に、投写する画像の確認を効率的に行わせることができる。
【００８１】
本実施形態のプロジェクター１において、電池３１１による電力供給であることを報知手段５０で報知することにより、ユーザーに、現在の電源（電力供給源）が、電池３１１であることを知らせることができる。
【００８２】
本実施形態のプロジェクター１において、制御手段２０は、外部電源からの電力供給が無いまま電源オンされた場合、電池３１１により駆動させ、計測手段１５により計測された距離データと、投写距離情報２１ａの投写距離の範囲とを比較し、表示手段４０に比較結果を表示する。または報知手段５０に報知する。これにより、ユーザーは比較結果を確認してプロジェクター１の設置位置を調整することができる。従って、スクリーンＳＣに画像を投写する前（ＡＣ電源への接続設定前の準備中）に、プロジェクター１の設置位置の調整を効率的に行わせることができる。
【００８３】
本実施形態のプロジェクター１において、制御手段２０は、電池３１１による駆動中に、外部電源からの電力供給を検出した場合、画像を投写するか否かの確認用画像（例えば、表示画像Ｇ２）を表示手段４０に表示し、入力操作手段２３による画像の投写を行う旨の入力操作を検出した場合、光源装置１１を点灯させて画像を投写する。これにより、電池３１１による駆動中に、外部電源からの電力供給を検出した場合、電池３１１による電力供給を、外部電源による電力供給に切り替え、画像を投写させることが容易に行える。
【００８４】
本実施形態のプロジェクター１において、画像をスクリーンＳＣに投写する前に、投写する画像の確認を表示手段４０で行うことができ、併せて、プロジェクター１の設置位置も適正に調整することができる。これにより、プロジェクター１の利便性を向上させることができる。
【００８５】
なお、上述した実施形態に限定されず、その要旨を逸脱しない範囲において種々の変更や改良等を加えて実施することが可能である。変形例を以下に述べる。
【００８６】
（変形例１）
前記実施形態のプロジェクター１において、電池３１１による電力供給時（電池動作状態Ｓ２）には、投写する画像が表示手段４０に表示される。しかし、これに限られず、電池動作状態Ｓ２には、プロジェクター１の設定情報を表示してもよい。
【００８７】
（変形例２）
前記実施形態のプロジェクター１において、報知手段５０は、電池３１１による電力供給を行っている旨を報知するが、外部電源に切り替えられた場合には、外部電源による電力供給を行っている旨を報知してもよい。
【００８８】
（変形例３）
前記実施形態のプロジェクター１において、計測手段１５により計測された距離データと、投写距離情報２１ａに規定される投写距離範囲とを比較し、表示手段４０（または、報知手段５０）に計測結果（比較結果）を表示する表示のさせ方は、適宜変更することができる。
【符号の説明】
【００８９】
１…プロジェクター、１１…光源装置、１５…計測手段、１８…画像信号入力手段、２０…制御手段、２１…記憶手段、２１ａ…投写距離情報、２３…入力操作手段、２５…光源制御手段、３１…電源部、４０…表示手段、５０…報知手段、３１１…電池、Ｄ…距離、ＳＣ…スクリーン。
【図１】
2015087575.tif 000003
【図２】
2015087575.tif 000004
【図３】
2015087575.tif 000005
【図４】
2015087575.tif 000006